(57)【要約】  本開示の実施形態は、隣接セルの測定を制限するための方法、装置、およびコンピュータ可読媒体を提供する。通信システム内のネットワーク装置によって実施される方法によれば、ネットワークデバイスは、セル基準信号（ＣＲＳ）ミューティングが可能な周波数レイヤの隣接セルを決定する。隣接セルがＣＲＳミューティングを有効にする場合、隣接セル内のセル参照信号は所定の物理リソースで送信される。この決定に応答して、ネットワークデバイスは、ネットワークデバイスのセル内の端末装置に測定制限情報を送信する。測定制限情報は、周波数レイヤの任意の隣接セルに対する無線リソース管理（ＲＲＭ）測定が、所定の物理リソースで実行されるように制限されていることを示す。本開示の実施形態は、隣接セルの測定を改善する。【選択図】図３
2021521740.tif 000002
【特許請求の範囲】
【請求項１】
ネットワークデバイスによって実行される方法であって、
ＣＲＳミューティングが可能な周波数レイヤの隣接セルを決定するステップであって、セル参照信号（ＣＲＳ）は、前記隣接セルがＣＲＳミューティングを有効にする場合、所定の物理リソースで隣接セル内に送信されるステップと、
前記決定に応答して、測定制限情報を前記ネットワークデバイスのセル内の端末装置に送信するステップであって、前記測定制限情報は、前記周波数レイヤの任意の隣接セルに対する無線リソース管理（ＲＲＭ）測定が前記所定の物理リソースに実行されるように制限されていることを示すステップと、
を含む方法。
【請求項２】
前記測定制限情報を送信するステップは、ブロードキャストメッセージを介して前記測定制限情報をブロードキャストするステップと、
専用の無線リソース制御（ＲＲＣ）信号を介して前記測定制限情報を送信するステップと、のうちの少なくとも１つを含む請求項１に記載の方法。
【請求項３】
Ｒｅｌｅａｓｅ−１５端末装置が前記セルにアクセスするのを防ぐために前記Ｒｅｌｅａｓｅ−１５端末装置固有のセル禁止情報をブロードキャストするステップをさらに含む請求項１に記載の方法。
【請求項４】
前記所定の物理リソースは、前記周波数レイヤ内の６つまたは２４つの主要な物理リソースブロックを含む請求項１に記載の方法。
【請求項５】
端末装置によって実行される方法であって、
周波数レイヤの任意の隣接セルに対する無線リソース管理（ＲＲＭ）測定が所定の物理リソースに実行されるように制限されていることを示す測定制限情報をネットワークデバイスから受信するステップと、
前記所定の物理リソースにおいて、前記周波数レイヤの隣接セルに前記ＲＲＭ測定を実行するステップと、
を含む方法。
【請求項６】
前記測定制限情報を受信するステップは、ブロードキャストメッセージまたは専用の無線リソース制御（ＲＲＣ）シグナリングを介して前記測定制限情報を受信することを含む請求項５に記載の方法。
【請求項７】
前記端末装置は、Ｒｅｌｅａｓｅ−１５端末装置であることを特徴とする請求項５に記載の方法。
【請求項８】
前記隣接セルの隣接ネットワークデバイスから、前記隣接セルにアクセスすることが禁止されていることを示すＲｅｌｅａｓｅ−１５端末装置に特有のセル禁止情報を受信するステップと、
前記隣接セルへのアクセスを防止するステップと、をさらに含む請求項７に記載の方法。
【請求項９】
前記隣接セルの隣接ネットワークデバイスから、前記隣接セルがＣＲＳミューティングを有効にしているかどうかを示すＣＲＳミューティング情報を受信するステップと、
前記隣接セルがＣＲＳミューティングを無効にしていることに応答して前記隣接セルにアクセスするステップと、
前記端末装置がＣＲＳミューティングで動作できないＲｅｌｅａｓｅ−１５端末装置である場合、前記隣接セルへのアクセスを防止するステップと、をさらに含む請求項７に記載の方法。
【請求項１０】
前記所定の物理リソースは、前記周波数レイヤ内の６つまたは２４つの主要な物理リソースブロックを含む請求項５に記載の方法。
【請求項１１】
プロセッサと、
前記プロセッサに接続され、命令を格納するメモリと、を含むネットワークデバイスであって、
前記命令は、前記プロセッサによって実行されると、
ＣＲＳミューティングが可能な周波数の前記隣接セルを決定するステップであって、セル参照信号（ＣＲＳ）は、前記隣接セルがＣＲＳミューティングを有効にする場合、所定の物理リソースで前記隣接セル内に送信されるステップと、
前記決定に応答して、測定制限情報を前記ネットワークデバイスのセル内の端末装置に送信するステップであって、前記測定制限情報は、前記周波数レイヤの任意の隣接セルに対する無線リソース管理（ＲＲＭ）測定が前記所定の物理リソースに実行されるように制限されていることを示すステップと、を含む動作を前記ネットワークデバイスに実行させるネットワークデバイス。
【請求項１２】
前記測定制限情報を送信するステップは、ブロードキャストメッセージを介して前記測定制限情報をブロードキャストするステップと、
専用無線リソース制御（ＲＲＣ）シグナリングを介して前記測定制限情報を送信するステップと、のうちの少なくとも１つを含む請求項１１に記載のネットワークデバイス。
【請求項１３】
前記動作はＲｅｌｅａｓｅ−１５端末装置が前記セルにアクセスするのを防ぐために前記Ｒｅｌｅａｓｅ−１５端末装置固有のセル禁止情報をブロードキャストするステップをさらに含む請求項１３に記載のネットワークデバイス。
【請求項１４】
前記所定の物理リソースは、前記周波数レイヤ内の６つまたは２４つの主要な物理リソースブロックを含む請求項１３に記載のネットワークデバイス。
【請求項１５】
プロセッサと、
前記プロセッサに接続され、命令を格納するメモリと、を含む端末装置であって、前記命令が前記プロセッサによって実行されると、
周波数レイヤの任意の隣接セルに対する無線リソース管理（ＲＲＭ）測定が所定の物理リソースに実行されるように制限されていることを示す測定制限情報をネットワークデバイスから受信するステップと、
前記所定の物理リソースにおいて、前記周波数レイヤの隣接セルに前記ＲＲＭ測定を実行するステップと、を含む動作を前記端末装置に実行させる端末装置。
【請求項１６】
前記測定制限情報を受信するステップは、ブロードキャストメッセージまたは専用の無線リソース制御（ＲＲＣ）シグナリングを介して前記測定制限情報を受信することを含む請求項１５に記載の端末装置。
【請求項１７】
前記端末装置は、Ｒｅｌｅａｓｅ−１５端末装置であることを特徴とする請求項１５に記載の端末装置。
【請求項１８】
前記動作は、前記隣接セルの隣接ネットワークデバイスから、前記隣接セルにアクセスすることが禁止されていることを示すＲｅｌｅａｓｅ−１５端末装置に特有のセル禁止情報を受信するステップと、
前記隣接セルへのアクセスを防止するステップと、をさらに含む請求項１７に記載の端末装置。
【請求項１９】
前記動作は、前記隣接セルの隣接ネットワークデバイスから、前記隣接セルがＣＲＳミューティングを有効にしているかどうかを示すＣＲＳミューティング情報を受信するステップと、
前記隣接セルがＣＲＳミューティングを無効にしていることに応答して前記隣接セルにアクセスするステップと、
前記端末装置がＣＲＳミューティングで動作できないＲｅｌｅａｓｅ−１５端末装置である場合、前記隣接セルへのアクセスを防止するステップと、をさらに含む請求項１７に記載の端末装置。
【請求項２０】
前記所定の物理リソースは、前記周波数レイヤ内の６つまたは２４つの主要な物理リソースブロックを含む請求項１５に記載の端末装置。
【請求項２１】
デバイスの少なくとも一つのプロセッサで実行され、前記装置に請求項１乃至４のいずれか１項及び請求項５乃至１０のいずれか１項に記載の方法を実行させる命令が格納されたコンピュータ可読媒体。
【発明の詳細な説明】
【技術分野】
【０００１】
本開示の実施形態は、一般に、無線通信に関し、特に、隣接セルの測定を制限するための方法、装置、およびコンピュータ可読媒体に関する。
【背景技術】
【０００２】
無線通信において、セル参照信号（ＣＲＳ）ミューティングは、ＣＲＳ送信の低減を実現する新しい機能である。ＣＲＳミューティングが有効になっているセルでは、このセルに対する無線リソース管理（ＲＲＭ：Radio Resource Management）測定は、常時オンのＣＲＳを持つ特定の物理リソースブロック（ＰＲＢ：Physical Resource Block）でのみ実行することができる。ＵＥがこれらのＰＲＢ（または帯域幅）の外で測定を実行すると、測定結果が間違っている場合がある。
【０００３】
対照的に、ＣＲＳミューティングが無効になっているセルでは、ＵＥは任意の帯域幅でセルを測定することができる。拡張マシンタイプコミュニケーション（ｅＭＴＣ：enhanced Machine Type Communication）ＵＥの場合、測定は、セルの帯域幅内の任意の狭い帯域幅で実行され得る。通常のＵＥの場合、測定は、ＵＥの実装に応じて、全セル帯域幅で行われ得る。
【０００４】
さらに、ＣＲＳミューティングはセルレベルの機能であり、すなわち、セル単位で有効化または無効化することができる。これは、サービングセルと同じまたは異なるキャリアにある隣接セルが、サービングセルとは異なるＣＲＳミューティング状態にある可能性があることを意味する。例えば、ＣＲＳミューティングはサービングセルでは有効だが、隣接セルでは無効になっている、またはＣＲＳミューティングはサービングセルでは無効だが、隣接セルでは有効になっている、ということがあり得る。
【０００５】
一部のセルではＣＲＳミューティングが有効で、他のセルでは無効になっている通信ネットワークでは、ＵＥｓが正しい帯域幅で隣接セル測定を実行するようにすることが望ましい。
【発明の概要】
【０００６】
一般に、本開示の例示的な実施形態は、隣接セルに対する測定を制限するための方法、装置、およびコンピュータ可読媒体を提供する。
【０００７】
第１の態様では、通信システム内のネットワークデバイスによって実行される方法が提供される。前記方法は、ＣＲＳミューティングが可能な周波数レイヤの隣接セルを決定することを含み、隣接セルがＣＲＳミューティングを有効にしている場合には、隣接セル内のセル参照信号が所定の物理リソースで送信される。また、前記方法では、前記決定に応答して、測定制限情報を前記ネットワーク装置のセル内の端末装置に送信することを含み、前記周波数レイヤの任意の隣接セルのＲＲＭ測定が前記所定の物理リソースで制限されていることを示す前記測定制限情報を送信する。
【０００８】
第２の態様では、通信システム内の端末装置によって実行される方法が提供される。前記方法は、ネットワークデバイスから、周波数レイヤの任意の隣接セルに対するＲＲＭ測定が、所定の物理リソースで実行されるように制限されていることを示す測定制限情報を受信することからなる。前記方法はまた、前記所定の物理リソースで、前記周波数レイヤの隣接セルに対する前記ＲＲＭ測定を実行することからなる。
【０００９】
第３の態様では、ネットワークデバイスが提供される。前記ネットワークデバイスは、プロセッサと、前記プロセッサに接続され、命令を格納するメモリとを含む。前記命令は、前記プロセッサによって実行されると、前記ネットワークデバイスに動作を実行させる。前記動作は、ＣＲＳミューティングが可能な周波数レイヤの隣接セルを決定することと、前記隣接セルがＣＲＳミューティングを有効にしている場合には、前記隣接セルのセル参照信号を所定の物理リソースで送信することからなる。前記動作は、また前記決定に応答して前記ネットワークデバイスのセル内の端末装置に測定制限情報を送信することを含み、前記測定制限情報は、前記周波数レイヤの任意の隣接セルに対するＲＲＭ測定が前記所定の物理リソースで実行されるように制限されていることを示す。
【００１０】
第４の態様では、端末装置が提供される。前記端末装置は、プロセッサと、前記プロセッサに接続され、命令を格納するメモリとから構成される。前記命令は、前記プロセッサによって実行されると、前記端末装置に動作を実行させる。前記動作は、ネットワークデバイスから、周波数レイヤの任意の隣接セルに対するＲＲＭ測定が所定の物理リソースで実行されるように制限されていることを示す測定制限情報を受信することからなる。また、前記動作は、前記所定の物理リソースで、前記周波数レイヤの前記隣接セルに対する前記ＲＲＭ測定を実行することからなる。
【００１１】
第５の態様では、命令が格納されたコンピュータ可読媒体が提供される。前記命令は、デバイスの少なくとも１つのプロセッサで実行されると、前記デバイスに第１の態様または第２の態様による方法を実行させる。
【００１２】
要約セクションは、本開示の実施形態の主要なまたは本質的な特徴を特定することを意図しておらず、また、本開示の範囲を限定するために使用されることを意図していないことが理解される。本開示の他の特徴は、以下の記述により容易に理解される。
【００１３】
添付の図面における本開示のいくつかの実施形態のより詳細な説明によって、本開示の上記および他の目的、特徴、および利点がより明らかになる。
【図面の簡単な説明】
【００１４】
【図１】本開示の実施形態が実行され得る通信環境のブロック図である。
【図２】本開示のいくつかの実施形態によるネットワークデバイスと端末装置との間の通信プロセスを示すフローチャートである。
【図３】本開示のいくつかの実施形態による例示的な方法のフローチャートを示す。
【図４】本開示のいくつかの他の実施形態による例示的な方法のフローチャートを示す；および
【図５】本開示の実施形態を実行するのに適したデバイスの簡略化されたブロック図である。
【００１５】
図面全体を通して、同一または類似の参照番号は、同一または類似の要素を表す。
【発明を実施するための形態】
【００１６】
本開示の原理をいくつかの例示的な実施形態を参照して説明する。これらの実施形態は、例示の目的のためにのみ記載され、本開示の範囲に関するいかなる制限も示唆することなく、当業者が本開示を理解し、実行するのを助けるのが理解される。本明細書に記載される開示は、以下に記載されるもの以外の様々な態様で実行することができる。
【００１７】
以下の説明および特許請求の範囲において、別段の定義がない限り、本明細書で使用されるすべての技術的および科学的用語は、本開示が属する技術分野の通常の技術者によって一般的に理解されるのと同じ意味を有する。
【００１８】
本明細書で使用される場合、「ネットワークデバイス」または「基地局」（ＢＳ）という用語は、端末装置が通信可能なセルまたはカバレッジを提供またはホストすることが可能なデバイスを指す。ネットワークデバイスの例としては、ノードＢ（ＮｏｄｅＢまたはＮＢ）、進化したノードＢ（ｅＮｏｄｅＢ：evolved NodeBまたはｅＮＢ）、リモート無線ユニット（ＲＲＵ：Remote Radio Unit）、無線ヘッド（ＲＨ：Radio Head）、リモート無線ヘッド（ＲＲＨ：Remote Radio Head）、フェムトノード、ピコノードなどの低電力ノードなどが挙げられるが、これらに限定されない。以下、説明のために、ネットワークデバイスの例としてｅＮＢを参照していくつかの実施形態について説明する。
【００１９】
本明細書で使用される場合、「端末装置」という用語は、無線または有線の通信能力を有する任意のデバイスを指す。端末装置の例は、ユーザ装置（ＵＥ：Ｕser Equipment）、パーソナルコンピュータ、デスクトップ、携帯電話、携帯電話、スマートフォン、パーソナルデジタルアシスタント（ＰＤＡ：Personal Digital Assistants）、ポータブルコンピュータ、デジタルカメラなどの画像取得装置、ゲーム装置、音楽記憶再生装置、または無線または有線インターネットアクセスおよびブラウジングなどを可能にするインターネット装置などが挙げられるが、これらに限定されない。以下、説明のために、端末装置の例としてＵＥを参照していくつかの実施形態を説明し、「端末装置」および「ユーザ装置」（ＵＥ）という用語は、本開示の文脈で互換的に使用されることがある。
【００２０】
本明細書で使用される「回路」という用語は、以下のうちの１つ以上またはすべてを指すことができる。（ａ）ハードウェアのみの回路実装（アナログおよび／またはデジタル回路のみの実装など）、および（ｂ）ハードウェア回路とソフトウェアの組み合わせ、例えば（該当するものとして）：（ｉ）アナログおよび／またはデジタルハードウェア回路とソフトウェア／ファームウェアの組み合わせ、および（ｉｉ）携帯電話またはサーバのような装置に様々な機能を実行させるために協働するソフトウェア（デジタル信号プロセッサを含む）、ソフトウェア、およびメモリを有するハードウェアプロセッサの任意の部分、および（ｃ）マイクロプロセッサまたはマイクロプロセッサの一部のようなハードウェア回路および／またはプロセッサ、動作のためにソフトウェア（例:ファームウェア）を必要とするが、動作のために必要でないときには、ソフトウェアが存在しない場合がある。
【００２１】
回路の本定義は、任意の請求項を含め、本出願における本用語のすべての使用に適用される。さらなる例として、本出願で使用されるように、用語「回路」はまた、単にハードウェア回路またはプロセッサ（または複数のプロセッサ）またはハードウェア回路またはプロセッサの一部、およびその（またはそれらの）付随するソフトウェアおよび／またはファームウェアの実施形態をも包含する。用語「回路」はまた、例えば、特定の請求項の要素に適用される場合には、モバイルデバイス用のベースバンド集積回路またはプロセッサ集積回路、またはサーバ、セルラーネットワークデバイス、または他のコンピューティングまたはネットワークデバイスにおける同様の集積回路を含む。
【００２２】
本明細書で使用される場合、単数形「ａ」、「ａｎ」および「ｔｈｅ」は、文脈が明確に別の意味を示さない限り、複数形も含むように意図される。用語「含む」およびその変形は、「含むが、限定されない」を意味する開放的な用語として読み取られることが意図される。用語「基づく」は、「少なくとも一部に基づく」を意味する開放的な用語として読まれるべきである。用語「実施形態」および「実施例」は、”少なくとも１つの実施形態”と読まれるべきである。用語”別の実施形態”は、”少なくとも１つの他の実施形態”と読み替えられる。用語「第１の」、「第２の」などは、異なる物体または同じ物体を指すことがある。明示的および暗示的な他の定義は、以下に含めることができる。
【００２３】
いくつかの例において、値、手順または装置は、「最良」、「最低」、「最高」、「最小」、「最大」またはそのようなものとして呼ばれる。このような記述は、多くの使用されている機能的代替物の中から選択を行うことができ、そのような選択は、より優れたもの、より小さいもの、より高いもの、または他の選択よりも好ましいものである必要はないことを意図していることが理解される。
【００２４】
図１は、本開示の実施形態が実行され得る例示的な通信ネットワーク１００を示す。ネットワーク１００は、４つのネットワークデバイス１１０、１２０、１３０および１４０を含み、これらは、それぞれセル１１５、１２５、１３５および１４５と呼ばれるそれぞれのサービング領域を有する。
【００２５】
図示するように、端末装置１５０は、ネットワークデバイス１１０によってサーブされる。すなわち、ネットワークデバイス１１０のセル１１５は、端末装置１５０のサービングセルである。また、端末装置１５０は、セル１２５内に配置され、セル１２５にハンドオーバされてもよい。同様に、端末装置１６０は、ネットワークデバイス１３０によってサーブされる。言い換えれば、ネットワークデバイス１３０のセル１３５は、端末装置１６０のサービングセルである。また、端末装置１６０は、セル１１５内に配置され、セル１１５にハンドオーバされてもよい。さらに後述するように、このハンドオーバは、ターゲットセルのＲＲＭ測定を必要とする場合がある。
【００２６】
端末装置１５０のサービングセル１１５に近接しているため、セル１２５、１３５および１４５は、セル１１５またはネットワークデバイス１１０の隣接セルと呼ばれてもよく、ネットワークデバイス１２０、１３０および１４０は、隣接ネットワークデバイスと呼ばれてもよい。同様に、端末装置１６０のサービングセル１３５に近接しているため、セル１１５、１２５および１４５は、セル１３５またはネットワークデバイス１３０の隣接セルと呼ばれてもよく、ネットワークデバイス１１０、１２０および１４０は、隣接ネットワークデバイスと呼ばれてもよい。
【００２７】
端末装置１５０の観点から、隣接セル１２５、１３５および１４５は、サービングセル１１５と同じ周波数レイヤ（またはバンド）内にあってもよい。いくつかの他の実施形態では、隣接セル１２５、１３５および１４５は、サービングセル１１５とは異なる周波数レイヤ内にあってもよい。あるいは、サービングセル１１５および隣接セル１２５、１３５、１４５は、任意の適切な周波数レイヤ内にあってもよい。セル１３５がサービングセルであり、セル１１５、１２５、１３５および１４５が隣接セルであることを除いて、端末装置１６０も同様である。
【００２８】
ネットワークデバイスの数および端末装置の数は、いかなる制限を示唆することなく、例示の目的のためだけのものであることが理解される。ネットワーク１００は、本開示の実施形態を実行するために適合された任意の適切な数のネットワークデバイスおよび端末装置を含むことができる。図示されていないが、１つ以上の端末装置が、セル１１５、１２５、１３５および１４５内に配置され、ネットワークデバイス１１０、１２０、１３０および１４０によってサーブされてもよいことが理解されるであろう。
【００２９】
ネットワーク１００における通信は、モバイル通信グローバルシステム（ＧＳＭ：Global System for Mobile Communications）、拡張カバレッジグローバルシステム（ＥＣ−ＧＳＭ−ＩｏＴ；Extended Coverage Global System for Mobile Internet of Things）、長期進化（ＬＴＥ：Long Term Evolution）、ＬＴＥ進化、ＬＴＥアドバンス（ＬＴＥ−Ａ：LTE-Advanced）、広帯域符号分割多元接続（ＷＣＤＭＡ：Wideband Code Division Multiple Access）、符号分割多元接続（ＣＤＭＡ：Code Division Multiple Access）、ＧＳＭＥＤＧＥ無線アクセスネットワーク（ＧＥＲＡＮ：GSM EDGE Radio Access Network）などを含むが、これらに限定されない任意の適切な規格に準拠してもよい。さらに、通信は、現在知られているか、または将来開発される予定のいずれかの世代の通信プロトコルに従って行われてもよい。通信プロトコルの例としては、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルを含むが、これらに限定されない。
【００３０】
端末装置（端末装置１５０および１６０など）がセル１１５、１２５、１３５または１４５にアクセスし、ネットワークデバイス１１０、１２０、１３０または１４０と通信するために、ネットワークデバイス１１０、１２０、１３０または１４０は、それぞれのセル１１５、１２５、１３５および１４５において、それぞれのセル参照信号（ＣＲＳｓ：cell reference signals）を送信してもよい。例えば、セル参照信号は、端末装置１５０または１６０によって、ダウンリンクチャネルを推定または復調したり、ダウンリンクチャネルの品質を検出したり、関連するセルで無線リソース管理（ＲＲＭ：Radio Resource Management）測定を実行したりするなどのために使用されてもよい。
【００３１】
上述のように、ＣＲＳミューティングは、ＣＲＳ送信の低減を実現する新しい機能である。ＣＲＳミューティングのサポートは、近年の無線通信の発展における一つの目的である。ＣＲＳミューティングの利点は、ＣＲＳ送信の減少によるネットワーク内の消費電力と干渉の減少である。これまで主に議論されてきたこの目的は、最小のＣＲＳ送信を実現し、ＣＲＳミューティングによりＵＥでのＲＲＭや復調が途切れないようにするためである。
【００３２】
また、セル内でＣＲＳミューティングが有効か否かをＵＥに示すためのシグナリングを定義することも検討されている。しかし、これまではサービングセル内におけるＣＲＳミューティングのみを考慮していたため、隣接セルの測定に問題が生じる。上述のように、一部のセルではＣＲＳミューティングが有効で、他のセルでは無効になっている通信ネットワークでは、ＵＥが正しい帯域幅で隣接セル測定を確実に行うことが望まれる。
【００３３】
この問題を解決するための１つの従来の解決策は、システム情報（ＳＩ：System Information）などのブロードキャストシグナリングにおいて、隣接セルに対してＣＲＳミューティング状態をブロードキャストすることである。欠点は、ＳＩの更新が頻繁に行われる可能性があることである。また、ＵＥが各隣接セルのために測定帯域幅を調整する可能性は低い。
【００３４】
別の従来の解決策は、キャリア周波数の最大許容測定帯域幅を定義として示す既存のシグナリング「AllowedMeasBandwidth」を使用することである。しかしながら、このＩＥは、ＵＥが許容される測定帯域幅を通知するだけで、ＵＥが測定を実行すべき場所を制限するものではない。したがって、ＵＥは、ＵＥの実行次第で、指示された帯域幅の外で測定を実行することもできる。
【００３５】
本開示の実施形態によれば、隣接セルの測定を制限するための解決策が提供される。いくつかの実施形態によれば、サービングセルは、サービングセルおよび／または隣接セルに測定制限が適用されているかどうかを示す情報をブロードキャストすることができる。測定制限は、Ｒｅｌｅａｓｅ−１５のＵＥによって適用されてもよい。測定制限は、周波数レイヤごとに、またはすべての周波数レイヤに対して指示されてもよい。
【００３６】
測定制限が適用される場合、ＵＥは、指示された周波数レイヤ内の全ての隣接セルを、所定の物理リソース、例えば、周波数レイヤ内の主要な６−ＰＲＢまたは２４−ＰＲＢのような所定の物理リソースで測定すべきである。測定制限が適用されない場合は、ＵＥの測定帯域に制限はない。また、ブロードキャストの他に、専用のＲＲＣシグナリングを介して接続モードのＵＥに測定制限をシグナリングすることも可能である。
【００３７】
本開示の実施形態は、隣接セルの測定、特にＲＲＭ測定を改善する。従来の解決策と比較して、本開示の実施形態は、周波数レイヤのＣＲＳミューティングを採用する意図が、特定のセルのＣＲＳミューティング状態よりもはるかに静的であるため、頻繁なＳＩ更新を回避することができる。また、本開示の実施形態は、セルが全セル帯域幅でＣＲＳｓを送信しているが、測定が周波数レイヤの主要な６−ＰＲＢのような所定の物理リソースでのみ実行される場合にも問題を生じない。
【００３８】
本開示の原理および実施形態は、本開示の異なる実施形態によるネットワークデバイスと端末装置との間の通信のためのプロセス２００を示す図２を参照して以下に詳細に説明される。説明のために、プロセス２００は、図１を参照して説明される。
【００３９】
プロセス２００は、図１のネットワークデバイス１１０および端末装置１５０、１６０を含んでもよい。いくつかの実施形態では、端末装置１５０、１６０の両方は、ＣＲＳミューティング機能をサポートするＲｅｌｅａｓｅ−１５端末装置であってもよく、ｅｆｅＭＴＣ  ＵＥとも呼ばれてもよい。いくつかの他の実施形態では、端末装置１６０は、ＣＲＳミューティング機能をサポートしないＲｅｌｅａｓｅ−１５端末装置であってもよい。一般性を損なうことなく、以下では、隣接セル１２５および１３５はＣＲＳミューティングが可能であり、隣接セル１４５はＣＲＳミューティングが不可能であると仮定される。
【００４０】
ネットワークデバイス１１０は、ＣＲＳミューティングが可能な周波数レイヤの隣接セル１２５または１３５を決定する（２０５）。一例として、ネットワークデバイス１１０は、ネットワークデバイス１２０、１３０および１４０と通信することによって、この検出を実行してもよい。別の例として、ネットワークデバイス１１０は、ネットワークデバイス１２０、１３０および１４０の関連情報を、基地局コントローラなどのネットワークデバイス１１０〜１４０を制御または調整することを担当する制御エンティティから取得することによって、この検出を実行してもよい。加えて、または代替的に、ネットワークデバイス１１０は、任意の可能かつ適切な方法でこの検出を実行してもよい。
【００４１】
前述のように、ＣＲＳミューティングが可能な隣接セル１２５または１３５がＣＲＳミューティングを有効にする場合、隣接セル１２５または１３５内のセル参照信号は、所定の物理リソースで送信される。例えば、所定の物理リソースは、隣接セル１２５または１３５の周波数レイヤにおける６つまたは２４つの主要な物理リソースブロック（ＰＲＢ）で構成されていてもよい。このように、所定の物理リソースは、他の周波数レイヤの所定の物理リソースから分離されていてもよい。加えて、または代替的に、所定の物理リソースは、周波数レイヤ内の任意の他のＰＲＢを含んでもよい。ＣＲＳミューティングにより、ＣＲＳ送信の減少により、通信ネットワーク１００における消費電力および干渉を低減することができる。
【００４２】
隣接セル１２５または１３５が決定されたことに応答して、ネットワークデバイス１１０は、ネットワークデバイス１１０のセル１１５内の端末装置１５０に測定制限情報を送信する（２１０）。測定制限情報は、周波数レイヤの任意の隣接セルに対するＲＲＭ測定が、所定の物理リソースで実行されるように制限されていることを示す。すなわち、ネットワークの観点から、周波数レイヤにＣＲＳミューティングを有効にする任意の隣接セルがあれば、サービングセルは、その層の測定制限を適用することができる。これに対応して、端末装置１５０は、ネットワークデバイス１１０からこの測定制限情報を受信する。
【００４３】
従来の解決策におけるセル当たりの表示と比較して、この周波数当たりのレイヤ当たりの表示は、例えば、隣接セル当たり１ビットに対して、周波数レイヤ当たり１ビットのように、ＳＩ変化が少なく、シグナリングオーバーヘッドが少ないという利点を有する。また、この測定制限表示は、従来の解決策におけるサービングセルに対するＣＲＳミューティング表示とは異なる。全ての隣接セルがＣＲＳミューティングを有効にしていない場合、サービングセルが隣接セルに対してこの測定制限を設定する必要はない。ＵＥがＣＲＳミューティングを可能にしても、セル帯域の任意の狭帯域で測定を行うことができる。これは、ＵＥの実行にとって有利である。
【００４４】
いくつかの実施形態では、ネットワークデバイス１１０は、無線リソース制御（ＲＲＣ）アイドル状態にある端末装置１５０のように、ブロードキャストメッセージを介して測定制限情報をブロードキャストしてもよい。このように、測定制限情報は、送信時にセル１１５内のすべての端末装置に送信されてもよい。加えて、または代替的に、ネットワークデバイス１１０は、ＲＲＣ接続状態の端末装置１５０のように、専用のＲＲＣシグナリングを介して、測定制限情報を送信してもよい。これにより、測定制限情報を特定の端末装置に送信することができ、省電力化が図られ、無駄なシグナリングを減らすことができる。したがって、端末装置１５０は、ブロードキャストメッセージまたは専用のＲＲＣシグナリングを介して測定制限情報を受信することができる。
【００４５】
端末装置１５０は、所定の物理リソースで、周波数レイヤの隣接セル１２５または１３５のＲＲＭ測定を実行する（２１５）。一般に、無線リソース管理は、スケジューリング、電力制御、ハンドオーバ、およびロードバランシングを含む無線リソースを管理する手順を含む。ＵＥによって実行されるＲＲＭ手順は、サービス継続性およびリソース管理のためのサービングセルおよび隣接セルの測定および報告を含む。例えば、セル測定は、ＵＥをハンドオーバするタイミングを決定するために使用されてもよいし、サービングセルのためのチャネル選択のために使用されてもよい。
【００４６】
図１を参照して説明したように、端末装置１６０は、ネットワークデバイス１３０によってサーブされるが、ネットワークデバイス１１０によってサーブされず、ネットワークデバイス１１０のセル１１５にハンドオーバされる可能性がある。この可能性のあるハンドオーバのために、端末装置１６０は、ネットワークデバイス１１０のセル１１５に対してＲＲＭ測定を行う必要があるかもしれない。いくつかの実施形態では、端末装置１６０は、Ｒｅｌｅａｓｅ−１５の端末装置であってもよい。
【００４７】
しかしながら、場合によっては、ネットワークデバイス１１０は、例えば、セル１１５の負荷が高いために、端末装置１６０がそのセル１１５にアクセスすることを望まない場合がある。そこで、ネットワークデバイス１１０は、Ｒｅｌｅａｓｅ−１５端末装置としての端末装置１６０がセル１１５にアクセスできないように、Ｒｅｌｅａｓｅ−１５端末装置に固有のセル禁止情報をブロードキャスト（２２０）して、端末装置１６０がセル１１５にアクセスできないようにしてもよい。一方、Ｒｅｌｅａｓｅ−１５端末装置としての端末装置１６０は、レガシー端末装置とも呼ばれるＲｅｌｅａｓｅ−１５以前の端末装置については、セル禁止情報を無視してもよい。Ｒｅｌｅａｓｅ−１５端末装置に固有の禁止情報を受信したことに応答して、端末装置１６０は、ネットワークデバイス１１０の隣接セル１１５にアクセスすることを（２２５）防止してもよい。
【００４８】
いくつかの実施形態では、ネットワークデバイス１１０は、Ｒｅｌｅａｓｅ−１５端末装置に固有のセル禁止情報をブロードキャストしない。これは、Ｒｅｌｅａｓｅ−１５端末装置が、ネットワークデバイス１１０によってセル１１５へのアクセスを禁止されていないことを意味する。しかしながら、現在、Ｒｅｌｅａｓｅ−１５の端末装置の中には、ＣＲＳミューティングで動作可能なものがあり、他のＲｅｌｅａｓｅ−１５の端末装置の中には、ＣＲＳミューティングで動作できないものがある。セル１１５においてＣＲＳミューティングが有効化されている場合、ＣＲＳミューティングで動作可能なＲｅｌｅａｓｅ−１５端末装置がセル１１５にアクセスし、ＣＲＳミューティングで動作できないＲｅｌｅａｓｅ−１５端末装置がセル１１５にアクセスすることを防止するために、ネットワークデバイス１１０は、セル１１５がＣＲＳミューティングを有効化しているか否かを示すＣＲＳミューティング情報をブロードキャスト（２３０）してもよい。
【００４９】
セル１１５がＣＲＳミューティングを無効にすることに応答して、端末装置１６０は、ＣＲＳミューティングで動作する能力があるかどうかにかかわらず、隣接セル１１５にアクセスしてもよい（２３５）。一方、セル１１５がＣＲＳミューティングを有効にすることに応答して、端末装置１６０がＣＲＳミューティングで動作可能なＲｅｌｅａｓｅ−１５端末装置である場合には、端末装置１６０は、セル１１５にアクセスし（２４０）、端末装置１６０がＣＲＳミューティングで動作不能なＲｅｌｅａｓｅ−１５端末装置である場合には、セル１１５にアクセスすることを阻止してもよい（２４５）。
【００５０】
動作２２０〜２４５の具体例として、ＣＲＳミューティングがセル１１５で有効化されている場合、ネットワークデバイス１１０は、ＳＩＢ１およびＳＩＢ１−ＢＲ（これはＲｅｌｅａｓｅ−１５以前のＵＥに対して動作する）のレガシー「ｃｅｌｌＢａｒｒｅｄ」情報要素（ＩＥ）を禁止として設定してもよく、そうでない場合、ＩＥは、ＣＲＳミューティング機能のないレガシーの場合と同様に、適宜設定してもよい。加えて、または代替的に、ネットワークデバイス１１０は、例えば、ｃｅｌｌＢａｒｒｅｄ−ｒ１５または他のいくつかの名前が付けられた新しいＩＥをＳＩＢ１−ＢＲに導入してもよく、この新しいＩＥは、Ｒｅｌｅａｓｅ−１５のＵＥに対して機能する。
【００５１】
したがって、レガシー（Ｒｅｌｅａｓｅ−１５以前の）ＵＥに対しては、セル１１５が禁止とみなされるかどうかを判断するために、ＳＩＢ１／ＳＩＢ１−ＢＲ内のレガシー「ｃｅｌｌＢａｒｒｅｄ」ＩＥをチェックしてもよい。Ｒｅｌｅａｓｅ−１５のＵＥは、ＳＩＢ１／ＳＩＢ１−ＢＲ内のレガシーの「ｃｅｌｌｌＢａｒｒｒｅｄ」ＩＥを無視して、ＳＩＢ１−ＢＲ内の新しいＩＥ「ｃｅｌｌｌＢａｒｒｒｅｄ−ｒ１５」をチェックしてもよい。ｃｅｌｌｌＢａｒｒｒｅｄ−ｒ１５が禁止に設定されている場合、セル１１５は禁止とみなされ、ｃｅｌｌｌＢａｒｒｒｅｄ−ｒ１５が禁止ではないと設定されている場合、ＵＥはさらにＳＩＢ１−ＢＲでＣＲＳミューティング表示をチェックしてもよい。
【００５２】
セル１１５でＣＲＳミューティングが有効になっていない場合、セル１１５は禁止されていないとみなされ、セル１１５でＣＲＳミューティングが有効になっていてＵＥのＣＲＳミューティングが可能である場合、セル１１５は禁止されていないとみなされ、セル１１５でＣＲＳミューティングが有効になっていてＵＥのＣＲＳミューティングが不可能である場合、セル１１５は禁止されているとみなされる。
【００５３】
図３は、本開示のいくつかの実施形態による例示的な方法３００のフローチャートを示す。方法３００は、図１に示すように、ネットワークデバイス１１０で実行することができ、図２のプロセス２００の詳細なフローチャートである。説明のために、方法３００は、図１を参照して、ネットワークデバイス１１０の観点から説明される。
【００５４】
ブロック３１０において、ネットワークデバイス１１０は、ＣＲＳミューティングが可能な周波数レイヤの隣接セル１２５または１３５を決定し、隣接セル１２５または１３５のセル参照信号は、隣接セル１２５または１３５がＣＲＳミューティングを有効にしている場合に、所定の物理リソースで送信される。ブロック３２０において、ネットワークデバイス１１０は、そのようなＣＲＳミューティングが可能な隣接セル１２５または１３５が決定されたかどうかをチェックする。ブロック３３０において、隣接セル１２５または１３５が決定されたことに応答して、ネットワークデバイス１１０は、測定制限情報をネットワークデバイス１１０のセル１１５内の端末装置１５０または１６０に送信し、測定制限情報は、周波数レイヤの任意の隣接セルに対するＲＲＭ測定が所定の物理リソースで実行されるように制限されていることを示す。
【００５５】
いくつかの実施形態では、ネットワークデバイス１１０は、ブロードキャストメッセージを介して測定制限情報をブロードキャストすることができる。加えて、または代替的に、ネットワークデバイス１１０は、専用のＲＲＣシグナリングを介して測定制限情報を送信してもよい。いくつかの実施形態では、ネットワークデバイス１１０は、Ｒｅｌｅａｓｅ−１５端末装置がセルにアクセスすることを防止するために、Ｒｅｌｅａｓｅ−１５端末装置に固有のセル禁止情報をブロードキャストしてもよい。いくつかの実施形態では、所定の物理リソースは、周波数レイヤの６つまたは２４つの主要な物理リソースブロックを含むことができる。
【００５６】
図２を参照して上述したネットワークデバイス１１０に関連するすべての動作および特徴は、同様に方法３００に適用可能であり、同様の効果を有することが理解されるであろう。簡略化のために、詳細は省略する。
【００５７】
図４は、本開示のいくつかの他の実施形態による例示的な方法４００のフローチャートである。方法４００は、図１の端末装置１５０または１６０で実施することができ、図２のプロセス２００の詳細なフローチャートである。説明のために、方法４００は、図１を参照して、端末装置１５０または１６０の観点から説明される。
【００５８】
ブロック４１０において、端末装置１５０は、ネットワークデバイス１１０から、周波数レイヤの任意の隣接セルに対するＲＲＭ測定が所定の物理リソースで実行されるように制限されていることを示す測定制限情報を受信する。ブロック４２０において、端末装置１５０は、所定の物理リソースで、周波数レイヤの隣接セルに対するＲＲＭ測定を実行する。
【００５９】
いくつかの実施形態では、端末装置１５０は、ブロードキャストメッセージまたは専用のＲＲＣシグナリングを介して測定制限情報を受信してもよい。いくつかの実施形態では、端末装置１６０は、Ｒｅｌｅａｓｅ−１５端末装置であってもよい。これらの実施形態では、端末装置１６０は、隣接セル１１５の隣接ネットワークデバイス１１０から、隣接セル１１５へのアクセスが禁止されていることを示すＲｅｌｅａｓｅ−１５端末装置に固有のセル禁止情報を受信してもよく、隣接セル１１５へのアクセスを禁止してもよい。
【００６０】
端末装置１６０がＲｅｌｅａｓｅ−１５端末装置である実施形態では、端末装置１６０は、隣接セル１１５の隣接ネットワークデバイス１１０から、隣接セル１１５がＣＲＳミューティングを有効にしているかどうかを示すＣＲＳミューティング情報を受信してもよい。隣接セル１１５がＣＲＳミューティングを無効にすることに応答して、端末装置１６０は、隣接セル１１５にアクセスしてもよい。
【００６１】
隣接セル１１５がＣＲＳミューティングを有効にすることに応答して、端末装置１６０がＣＲＳミューティングで動作可能なＲｅｌｅａｓｅ−１５端末装置である場合、端末装置１６０は、隣接セル１１５にアクセスしてもよく、端末装置１６０がＣＲＳミューティングで動作不可能なＲｅｌｅａｓｅ−１５端末装置である場合、端末装置１６０は、隣接セル１１５にアクセスすることを防止してもよい。
【００６２】
いくつかの実施形態では、所定の物理リソースは、周波数レイヤ内の主要な６または２４の物理リソースブロックを含む。
【００６３】
図２を参照して上述した端末装置１５０または１６０に関連するすべての動作および特徴は、同様に方法４００に適用可能であり、同様の効果を有することが理解されるであろう。簡略化のために、詳細な説明は省略する。
【００６４】
いくつかの実施形態では、方法３００を実行するための装置（例えば、ネットワークデバイス１１０）は、方法３００における対応するステップを実行するためのそれぞれの手段を構成してもよい。これらの手段は、任意の適切な方法で実行され得る。例えば、回路またはソフトウェアモジュールによって実施することができる。
【００６５】
いくつかの実施形態では、装置は、ＣＲＳミューティングが可能な周波数レイヤの隣接セルを決定するための手段と、隣接セルがＣＲＳミューティングを有効にしている場合に、隣接セルのセル参照信号を所定の物理リソースで送信するための手段と、決定に応答して、測定制限情報をネットワーク装置のセル内の端末装置に送信するための手段と、周波数レイヤの任意の隣接セルに対するＲＲＭ測定が所定の物理リソースで実行されるように制限されていることを示す測定制限情報を送信するための手段と、から構成される。
【００６６】
いくつかの実施形態では、情報を送信するための手段は、ブロードキャストメッセージを介して情報をブロードキャストするための手段と、専用のＲＲＣシグナリングを介して情報を送信するための手段とのうちの少なくとも１つからなる。
【００６７】
いくつかの実施形態では、装置はさらに、Ｒｅｌｅａｓｅ−１５端末装置がセルにアクセスできないようにするために、Ｒｅｌｅａｓｅ−１５端末装置に固有のセル禁止情報をブロードキャストするための手段を含む。いくつかの実施形態では、所定の物理リソースは、周波数レイヤにおける６つまたは２４つの主要な物理リソースブロックを含む。
【００６８】
いくつかの実施形態では、方法４００を実行するための装置（例えば、端末装置１５０または１６０）は、方法４００に対応するステップを実行するためのそれぞれの手段を含んでもよい。これらの手段は、任意の適切な方法で実行され得る。例えば、回路またはソフトウェアモジュールによって実施することができる。
【００６９】
いくつかの実施形態では、装置は、ネットワークデバイスから、周波数レイヤの任意の隣接セルに対するＲＲＭ測定が所定の物理リソースで実行されるように制限されていることを示す測定制限情報を受信するための手段と、所定の物理リソースで、周波数レイヤの隣接セルに対するＲＲＭ測定を実行するための手段と、から構成される。
【００７０】
いくつかの実施形態では、情報を受信するための手段は、ブロードキャストメッセージまたは専用のＲＲＣシグナリングを介して情報を受信する手段を含む。いくつかの実施形態では、装置は、Ｒｅｌｅａｓｅ−１５端末装置である。いくつかの実施形態では、装置はさらに、隣接セルの隣接ネットワーク装置から、隣接セルへのアクセスが禁止されていることを示すＲｅｌｅａｓｅ−１５端末装置に固有のセル禁止情報を受信するための手段と、隣接セルへのアクセスを防止するための手段とを含む。
【００７１】
いくつかの実施形態では、装置は、隣接セルの隣接ネットワーク装置から、隣接セルがＣＲＳミューティングを有効にするかどうかを示すＣＲＳミューティング情報を受信する手段をさらに備える。隣接セルの隣接ネットワーク装置から、隣接セルがＣＲＳミューティングを有効にするかどうかを示すＣＲＳミューティングを受信する手段はＣＲＳミューティングを有効にする隣接セルに応答して、端末装置がＣＲＳミューティングで動作可能なＲｅｌｅａｓｅ−１５端末装置である場合に隣接セルにアクセスする手段、およびＣＲＳミューティングを無効にする隣接セルに応答して、端末装置がＣＲＳミューティングで動作できないＲｅｌｅａｓｅ−１５端末装置である場合に隣接セルへのアクセスを防止するための手段である。
【００７２】
いくつかの実施形態では、所定の物理リソースは、周波数レイヤの６つまたは２４つの主要な物理リソースブロックを含む。
【００７３】
図５は、本開示の実施形態を実行するのに適したデバイス５００の簡略化されたブロック図である。デバイス５００は、図１および図２に示すように、ネットワークデバイス１１０および端末装置１５０または１６０のさらなる例示的な実施形態とみなすことができる。したがって、デバイス５００は、ネットワークデバイス１１０または端末装置１５０または１６０の少なくとも一部において、またはその少なくとも一部として実行され得る。
【００７４】
図示されるように、デバイス５００は、プロセッサ５１０と、プロセッサ５１０に接続されたメモリ５２０と、プロセッサ５１０に接続された適当な送信機（ＴＸ）および受信機（ＲＸ）５４０と、ＴＸ／ＲＸ５４０に接続された通信インターフェースとを含む。メモリ５２０は、プログラム５３０の少なくとも一部を格納する。ＴＸ／ＲＸ５４０は、双方向通信用である。ＴＸ／ＲＸ５４０は、通信を容易にするために少なくとも１つのアンテナを有するが、実際には、本出願で記載されるアクセスノードは、複数のアンテナを有していてもよい。通信インターフェースは、ｅＮＢ間の双方向通信のためのＸ２インターフェース、モビリティ管理エンティティ（ＭＭＥ：Mobility Management Entity）／サービングゲートウェイ（Ｓ−ＧＷ：Serving Gateway）とｅＮＢとの間の通信のためのＳ１インターフェース、ｅＮＢと中継ノード（ＲＮ：relay node）との間の通信のためのＵｎインターフェース、またはｅＮＢと端末装置との間の通信のためのＵｕインターフェースなど、他のネットワーク要素との通信に必要な任意のインターフェースを表してもよい。
【００７５】
プログラム５３０は、関連するプロセッサ５１０によって実行されると、図２から図６を参照して本明細書で説明されるように、デバイス５００が本開示の実施形態に従って動作することを可能にするプログラム命令を含むと想定される。本開示の実施形態は、デバイス５００のプロセッサ５１０によって実行可能なコンピュータソフトウェアによって、またはハードウェアによって、またはソフトウェアとハードウェアの組み合わせによって実行されてもよい。プロセッサ５１０は、本開示の様々な実施形態を実行するように構成されてもよい。さらに、プロセッサ５１０およびメモリ５２０の組み合わせは、本開示の様々な実施形態を実行するように適合された処理手段５５０を形成してもよい。
【００７６】
メモリ５２０は、ローカル技術ネットワークに適した任意のタイプのものであってもよく、非限定的な例として、非一時的コンピュータ可読記憶媒体、半導体ベースの記憶装置、磁気記憶装置およびシステム、光学記憶装置およびシステム、固定記憶装置およびリムーバブルメモリなどの任意の適したデータ記憶技術を使用して実行してもよい。デバイス５００には１つのメモリ５２０のみが示されているが、デバイス５００には物理的に異なる複数のメモリモジュールが存在してもよい。プロセッサ５１０は、ローカル技術ネットワークに適した任意のタイプのものであってもよく、非限定的な例として、汎用コンピュータ、専用コンピュータ、マイクロプロセッサ、デジタル信号プロセッサ（ＤＳＰ）、およびマルチコアプロセッサアーキテクチャに基づくプロセッサのうちの１つまたは複数を含んでもよい。デバイス５００は、メインプロセッサを同期させるクロックに同期して従属されるアプリケーション固有の集積回路チップのような複数のプロセッサを有していてもよい。
【００７７】
本開示の装置および／またはデバイスに含まれる構成要素は、ソフトウェア、ハードウェア、ファームウェア、またはそれらの任意の組み合わせを含む様々な方法で実行されてもよい。一実施形態では、１つ以上のユニットは、ソフトウェアおよび／またはファームウェア、例えば、記憶媒体に記憶された機械実行可能命令を使用して実行されてもよい。機械実行可能命令に加えて、または機械実行可能命令の代わりに、装置および／または装置内のユニットの一部または全部が、少なくとも部分的には、１つ以上のハードウェアロジックコンポーネントによって実行されてもよい。 例えば、使用可能なハードウェアロジックコンポーネントの例示的なタイプには、フィールドプログラマブルゲートアレイ（ＦＰＧＡｓ：Field-programmable Gate Arrays）、特定用途向け集積回路（ＡＳＩＣｓ：Application-specific Integrated Circuits）、特定用途向け標準製品（ＡＳＳＰｓ：Application-specific Standard Products）、システムオンアチップシステム（ＳＯＣｓ：System-on-a-chip systems）、複雑プログラマブルロジックデバイス（ＣＰＬＤｓ：Complex Programmable Logic Devices）などが含まれるが、これに限定されない。
【００７８】
一般に、本開示の様々な実施形態は、ハードウェアまたは特別目的回路、ソフトウェア、ロジック、またはそれらの任意の組み合わせで実行されてもよい。いくつかの態様は、ハードウェアで実行されてもよく、他の態様は、コントローラ、マイクロプロセッサ、または他のコンピューティングデバイスによって実行され得るファームウェアまたはソフトウェアで実行されてもよい。本開示の実施形態の様々な態様は、ブロック図、フローチャート、または他の図示を使用して図示され、説明されているが、本明細書に記載されているブロック、装置、システム、技術または方法は、非限定的な例として、ハードウェア、ソフトウェア、ファームウェア、特殊目的回路またはロジック、汎用ハードウェアまたはコントローラ、または他のコンピューティングデバイス、またはそれらのいくつかの組み合わせで実行されてもよいことが理解される。
【００７９】
本開示はまた、一時的でないコンピュータ可読記憶媒体に具体的に記憶された少なくとも１つのコンピュータプログラム製品を提供する。このコンピュータプログラム製品は、図３および図４のいずれかを参照して上述したようなプロセスまたは方法を実行するために、ターゲットの実プロセッサまたは仮想プロセッサのデバイスで実行される、プログラムモジュールに含まれるようなコンピュータ実行可能な命令を含む。一般に、プログラムモジュールは、特定のタスクを実行するか、または特定の抽象データ型を実装するルーチン、プログラム、ライブラリ、オブジェクト、クラス、コンポーネント、データ構造、またはそのようなものを含む。プログラムモジュールの機能は、様々な実施形態において所望されるように、プログラムモジュール間で結合されてもよいし、分割されてもよい。プログラムモジュールのための機械実行可能な命令は、ローカルデバイス内で実行されてもよいし、分散デバイス内で実行されてもよい。分散型デバイスでは、プログラムモジュールは、ローカル記憶媒体とリモート記憶媒体の両方に配置されてもよい。
【００８０】
本開示の方法を実行するためのプログラムコードは、１つ以上のプログラミング言語の任意の組み合わせで記述されてもよい。これらのプログラムコードは、汎用コンピュータ、専用コンピュータ、または他のプログラム可能なデータ処理装置のプロセッサまたはコントローラに提供されてもよく、そのようなプログラムコードは、プロセッサまたはコントローラによって実行されると、フローチャートおよび／またはブロック図で指定された機能／操作が実行されるようになる。プログラムコードは、完全にマシンで、部分的にマシンで、スタンドアロンのソフトウェアパッケージとして、部分的にマシンで、部分的にリモートマシンで、または完全にリモートマシンまたはサーバで実行することができる。
【００８１】
上述のプログラムコードは、命令実行システム、装置、またはデバイスによって、またはそれに関連して使用するためのプログラムを含むことができる、またはそれを格納することができる任意の有形の媒体である機械可読媒体に具現化することができる。機械可読媒体は、機械可読信号媒体又は機械可読記憶媒体とすることができる。機械可読媒体は、限定されるものではないが、電子、磁気、光学、電磁気、赤外線、または半導体のシステム、装置、またはデバイス、またはこれらの任意の適切な組み合わせを含むことができる。機械可読記憶媒体のより具体的な例は、一つ以上のワイヤを有する電気的接続、ポータブルコンピュータディスケット、ハードディスク、ランダムアクセスメモリ（ＲＡＭ）、読取り専用メモリ（ＲＯＭ）、消去可能プログラマブル読取り専用メモリ（ＥＰＲＯＭまたはフラッシュメモリ）、光ファイバ、ポータブルコンパクトディスク読取り専用メモリ（ＣＤ−ＲＯＭ）、光学記憶装置、磁気記憶装置、またはこれらの任意の適切な組合せを含む。
【００８２】
さらに、操作が特定の順序で示されているが、これは、望ましい結果を達成するために、そのような操作が示された特定の順序で実行されること、または逐次的に実行されること、または示されたすべての操作が実行されることを要求するものとして理解されるべきではない。状況によっては、マルチタスク処理および並列処理が有利であり得る。同様に、いくつかの特定の実施形態の詳細が上記の説明に含まれているが、これらは、本開示の範囲を制限するものとして解釈されるべきではなく、特定の実施形態に特異的であり得る特徴の記述として解釈されるべきである。個別の実施形態の文脈で説明されている特定の特徴は、単一の実施形態において組み合わせて実施されてもよい。逆に、単一の実施形態の文脈で説明されている様々な特徴はまた、複数の実施形態で個別に、または任意の適切なサブ組み合わせで実施されてもよい。
【００８３】
本開示は、構造的特徴および／または方法的行為に特有の言語で説明されてきたが、添付の特許請求の範囲に定義された本開示は、必ずしも上述の特定の特徴または行為に限定されるものではないことが理解されよう。むしろ、上述の特定の特徴および行為は、特許請求の範囲の実施形態の例示的な形態として開示されている。
【図１】
2021521740.tif 000003
【図２】
2021521740.tif 000004
【図３】
2021521740.tif 000005
【図４】
2021521740.tif 000006
【図５】
2021521740.tif 000007
【国際調査報告】
2021521740.tif 000008
2021521740.tif 000009